(57)【特許請求の範囲】
【請求項１】
端部に撮影用カメラレンズが設けられているスマートフォンに装着する近接撮影装置で、前記カメラレンズの前面に近接撮影が可能なコンバージョンレンズおよび被写体を照明する照明装置を装着してなる近接撮影装置において、
ＬＥＤ照明装置と、
スマートフォンと、
近接撮影用のコンバージョンレンズを有し、スマートフォンの上端側から、前記カメラレンズの位置に合わせ前記スマートフォンに対する上下左右の差込量を調整して挟み込むことにより前記カメラレンズの光軸に前記近接撮影用のコンバージョンレンズの光軸を一致させて前記カメラレンズの前面に前記近接撮影用のコンバージョンレンズを配置し、下部に挿入によってＬＥＤ照明装置取付機構部を装脱着できる結合手段を設けたレンズホルダ手段と、
前記ＬＥＤ照明装置を装脱着するガイド枠を有し、ガイド枠に連結する部材の他方端に、挿入によって前記結合手段に結合する照明装置取付板を有する前記ＬＥＤ照明装置取付機構部と、
前記ＬＥＤ照明装置に電力を供給する電源部とを備え、
前記レンズホルダ手段の挟み込み機能により前記レンズホルダ手段をスマートフォンに装着し、かつ、ＬＥＤ照明装置が前記ガイド枠に保持された前記ＬＥＤ照明装置取付機構部を前記レンズホルダ手段に挿入結合し、前記コンバージョンレンズの光軸に対し前記ＬＥＤ照明装置の水平方向の位置を調整する照明距離セット調整手段, 前記ＬＥＤ照明装置の水平方向の角度を調整する第１の角度調整手段および前記ＬＥＤ照明装置の垂直方向の角度を調整する第２の角度調整手段を有することにより、前記コンバージョンレンズの光軸とＬＥＤ照明装置の光軸とが所定の角度になるような位置関係で配置され、前記コンバージョンレンズの前面から所定の距離に焦点が形成され、前記所定の距離にＬＥＤ照明が集束するように設定され、前記第１および第２の調整手段はＬＥＤ照明装置取付機構部の、前記ガイド枠に連結する部材が、前記ガイド枠に固定される照明装置受けと照明装置ガイド板により構成され、前記照明装置受けと前記照明装置ガイド板が、水平方向に角度調整可能なねじで結合され、さらに前記照明装置ガイド板が、前記照明装置取付板に対し垂直方向に角度調整可能なねじで固定され、前記コンバージョンレンズの光軸と前記ＬＥＤ照明装置の光軸の角度を調整可能にしたことを特徴とする照明機能を備えた近接撮影装置。
【請求項２】
前記ＬＥＤ照明装置は、
所定の距離にスリット光を照明するスリット光照明装置であることを特徴とする請求項１記載の照明機能を備えた近接撮影装置。
【請求項３】
前記ＬＥＤ照明装置は、
所定の距離に青色光を照明する青色光照明装置であることを特徴とする請求項１記載の照明機能を備えた近接撮影装置。
【請求項４】
前記近接撮影装置は、
移動体端末取付部により前記スマートフォンを挟み込むことにより前記スマートフォンに取り付け、前記電源部として電池を収容してケーブルによって前記ＬＥＤ照明装置に電力を供給し、かつ把持部となる把持本体部を有することを特徴とする請求項１，２または３記載の照明機能を備えた近接撮影装置。
【請求項５】
前記電源部は電池であって前記ＬＥＤ照明装置に収容されることを特徴とする請求項１，２または３記載の照明機能を備えた近接撮影装置。
【発明の詳細な説明】
【技術分野】
【０００１】
本発明は、スマートフォンなどの移動体端末を用いた照明機能を備えた近接撮影装置で、特に眼科における前眼部または眼底部の病変の診断等に好適に利用できる携帯形の撮影装置に関する。
【背景技術】
【０００２】
本件出願人は眼科医の診断に用いる携帯形の超近接撮影装置を提案している（特許文献１）。
上記装置を提案した理由は、眼科における診断が専らスリットランプ装置や眼底カメラ等の既存の定置形の設備を用いて行われているという現状によるものである。
これらの既存の装置を利用しての診断内容について以下述べる。
スリットランプ装置としての機能を有するものとして細隙灯顕微鏡による検査がある。これは暗室で行われ、眼球にスリットランプの細い光を当て眼球の表面と内部の横断面を観察する検査であり、装置に患者の顎を載せて額を固定し、医師が正面から顕微鏡で眼球を調べるものである。また、眼底カメラは、網膜の血管や神経を調べるために不可欠な検査である。その１つは、検眼鏡を使って瞳から光を入れて直接眼底を見る直像眼底検査で、網膜の中心部の視神経や黄斑部の検査に適するものである。他の１つは、眼底に当たって反射した光を眼の外に導き、その画像を調べる倒像眼底検査で、網膜周辺や網膜剥離の検査に適するものである。
以上が既存装置の使用例であるが、いずれの場合にも装置は大がかりで、操作には訓練が必要とされるものである。この現状に対し、携帯電話のカメラを用いた装置として、特許文献２にその構成例が開示されているが、システム全体として見た場合、携帯電話以外は全部携帯型眼科装置と支持部が纏められた構成になっており、コストの面から高価なものになっていた。
このような背景からも特許文献１の超近接撮影装置を考案したものである。
【０００３】
特許文献１の超近接撮影装置は、眼科における前眼または眼底の病変の診断に好適に利用できる他、工業製品の表面の目視検査データの取得、蓄積、転送等に利用でき、超小型で取り扱いが簡単であって、すなわち小型に構成できるという特徴を備えている。
該超近接撮影装置は以下のように構成されている。
スマートフォンの端部に設けられている撮影レンズに装着すべき超近接撮影用のコンバージョンレンズは、レンズフォルダ（キャップ）の決められた位置に固定されており、レンズフォルダはスマートフォンの、カメラレンズが存在する上端部にキャップのように被せる構造である。
そのため、特定のスマートフォンに対してのみ装着でき、上端部付近に撮影レンズを有するスマートフォンであっても、必ずしも使えるとは限らないものであった。したがって、コンバージョンレンズを装着する機構部は、キャップ方式の場合、汎用性がないものである。
【０００４】
また、この超近接撮影装置は、レンズフォルダをスマートフォンに装着する機構部とは独立した把持部となる機構部に自由に折り曲げて向きを変えることができる蛇管部を装脱着可能に構成し、蛇管部の先端にＬＥＤ照明装置を取り付けた構造としている。
眼底撮影に用いるカメラの焦点距離はコンバージョンレンズを装着した場合、所定の距離になるように設定されるが、ＬＥＤ照明装置の照明先を所定の距離になるように蛇管部を折り曲げてＬＥＤ照明装置の位置および方向を調整するのは手間が掛かっていた。したがって所定の距離の位置に照明が集束する（照明範囲が明瞭に表示される）ように調整することは困難であった。
【先行技術文献】
【特許文献】
【０００５】
【特許文献１】実用新案登録第３１９７４１８号公報
【特許文献２】特許第４０９４３７８号公報
【発明の概要】
【発明が解決しようとする課題】
【０００６】
特に、眼科による前眼および眼底診断，撮影をする場合に、良好な結果を得るためにＬＥＤ照明装置としてスリット光を当てたり、青色中心の波長特性も持つ青色照明を当てたりすることが必要であるので、所定の距離に撮影焦点距離を結ぶレンズの装着と、その位置に照明が最も集束するようにするための照明装置の操作は、簡単かつ、容易であることが望まれる。
【０００７】
本発明の目的は、端部に撮影用カメラレンズが設けられているスマートフォンに装着して使用する近接撮影装置であって、前記カメラレンズの前面に近接撮影が可能なコンバージョンレンズおよび被写体を照明する照明装置を装着してなる近接撮影装置において、眼科における前眼部または眼底部の病変の診断に好適に使用できるようにするため、対象を診断，撮影する前の近接撮影装置の操作、すなわちスマートフォンのカメラレンズの前に、所定の距離に焦点を結ぶためのコンバージョンレンズを固定し、かつ、そのレンズの光軸に適切な角度から照明を当てるという調整を容易に行うことができるようにした照明機能を備えた近接撮影装置を提供することにある。
【課題を解決するための手段】
【０００８】
前記目的を達成するために本発明による請求項１記載の近接撮影装置は、端部に撮影用カメラレンズが設けられているスマートフォンに装着する近接撮影装置で、前記カメラレンズの前面に近接撮影が可能なコンバージョンレンズおよび被写体を照明する照明装置を装着してなる近接撮影装置において、ＬＥＤ照明装置と、スマートフォンと、近接撮影用のコンバージョンレンズを有し、スマートフォンの上端側から、前記カメラレンズの位置に合わせ前記スマートフォンに対する上下左右の差込量を調整して挟み込むことにより前記カメラレンズの光軸に前記近接撮影用のコンバージョンレンズの光軸を一致させて前記カメラレンズの前面に前記近接撮影用のコンバージョンレンズを配置し、下部に挿入によってＬＥＤ照明装置取付機構部を装脱着できる結合手段を設けたレンズホルダ手段と、前記ＬＥＤ照明装置を装脱着するガイド枠を有し、ガイド枠に連結する部材の他方端に、挿入によって前記結合手段に結合する照明装置取付板を有する前記ＬＥＤ照明装置取付機構部と、前記ＬＥＤ照明装置に電力を供給する電源部とを備え、前記レンズホルダ手段の挟み込み機能により前記レンズホルダ手段をスマートフォンに装着し、かつ、ＬＥＤ照明装置が前記ガイド枠に保持された前記ＬＥＤ照明装置取付機構部を前記レンズホルダ手段に挿入結合し、前記コンバージョンレンズの光軸に対し前記ＬＥＤ照明装置の水平方向の位置を調整する照明距離セット調整手段, 前記ＬＥＤ照明装置の水平方向の角度を調整する第１の角度調整手段および前記ＬＥＤ照明装置の垂直方向の角度を調整する第２の角度調整手段を有することにより、前記コンバージョンレンズの光軸とＬＥＤ照明装置の光軸とが所定の角度になるような位置関係で配置され、前記コンバージョンレンズの前面から所定の距離に焦点が形成され、前記所定の距離にＬＥＤ照明が集束するように設定され、前記第１および第２の調整手段はＬＥＤ照明装置取付機構部の、前記ガイド枠に連結する部材が、前記ガイド枠に固定される照明装置受けと照明装置ガイド板により構成され、前記照明装置受けと前記照明装置ガイド板が、水平方向に角度調整可能なねじで結合され、さらに前記照明装置ガイド板が、前記照明装置取付板に対し垂直方向に角度調整可能なねじで固定され、前記コンバージョンレンズの光軸と前記ＬＥＤ照明装置の光軸の角度を調整可能にしたことを特徴とする。
本発明による請求項２記載の近接撮影装置は、請求項１記載の発明において、前記ＬＥＤ照明装置は、所定の距離にスリット光を照明するスリット光照明装置であることを特徴とする。
本発明による請求項３記載の近接撮影装置は、請求項１記載の発明において、前記ＬＥＤ照明装置は、所定の距離に青色光を照明する青色光照明装置であることを特徴とする。  本発明による請求項４記載の近接撮影装置は、請求項１，２または３記載の発明において、前記近接撮影装置は、移動体端末取付部により前記スマートフォンを挟み込むことにより前記スマートフォンに取り付け、前記電源部として電池を収容してケーブルによって前記ＬＥＤ照明装置に電力を供給し、かつ把持部となる把持本体部を有することを特徴とする。
本発明による請求項５記載の近接撮影装置は、請求項１，２または３記載の発明において、前記電源部は電池であって前記ＬＥＤ照明装置に収容されることを特徴とする。
【発明の効果】
【０００９】
上記構成によれば、以下のような効果を得ることができる。
スマートフォンに設置されているカメラレンズはスマートフォン上端位置にあるものの、機種によって配置位置は様々である。コンバージョンレンズを備えるレンズホルダでスマートフォンを挟み込み、上下左右を位置調整してスマートフォンに取り付ける構造にしたので、特定のスマートフォンに限られることはなく汎用性が向上する。照明装置はレンズホルダに対し所定の角度位置になるように挿入して取り付ける構造にしたので、照明装置を取り付けたレンズホルダを、スマートフォンに挟み込んで装着するだけで、診断対象に対し、明瞭な照明光を照射でき、従来の照明光の位置設定の煩わしさから解放される。照明距離が適切でなければ、照明装置を前後して調整することができる。また、照明装置の方向（角度）を調整できる。
【００１０】
眼科における前眼および眼底の診断，撮影では、患者に圧迫感を与えないようにするために５０ｍｍ離した距離での撮影が適切だとされている。レンズホルダにＬＥＤ照明装置取付機構部を装着するとき予め設定された角度（例えば３０°）で照明が５０ｍｍ先の被写体のところに集束するようにしておけば、本発明による近接撮影装置をスマートフォンに装着しただけで、ＬＥＤ照明装置の照明光もその位置に明瞭に照明することが可能になる。また、照明光の形状や色も望みのものに容易に変えることができる。請求項２，３によれば、それぞれスリット光，青色拡散光照明を選択することができる。また、装脱着できる構造のため、用途に応じて白色拡散光照明の照明装置などにも変更することができる。
本発明による近接撮影装置は、工業製品の表面の目視検査データの取得，蓄積，転送などにも利用することができるのは勿論である。
【図面の簡単な説明】
【００１１】
【図１】本発明による近接撮影装置の実施の形態を示す正面図である。
【図２】本発明による近接撮影装置の実施の形態を示す背面図である。
【図３】本発明による近接撮影装置の実施の形態を示す平面図である。
【図４】本発明による近接撮影装置の実施の形態を示す底面図である。
【図５】本発明による近接撮影装置の実施の形態を示す左側面図である。
【図６】本発明による近接撮影装置の実施の形態を示す右側面図である。
【図７】本発明による近接撮影装置に用いるＬＥＤ照明装置の第１の実施の形態を示す図で、スリット光照明装置を断面で示した正面図である。
【図８】本発明による近接撮影装置に用いるＬＥＤ照明装置の第２の実施の形態を示す図で、拡散光照明装置を断面で示した正面図である。
【発明を実施するための形態】
【００１２】
以下、図面を参照して本発明の実施の形態を詳しく説明する。
図１〜図６は本発明による近接撮影装置の実施の形態を示す図で、正面図，背面図，平面図，底面図，左側面図および右側面図をそれぞれ示している。
この実施の形態は、スマートフォン１のレンズを近接撮影可能にするコンバージョンレンズ（近接撮影用補助レンズ）３，コンバージョンレンズ３を取り付けるためのレンズホルダ２，ＬＥＤ照明装置４，ＬＥＤ照明装置４を支持し、支持するＬＥＤ照明装置４をレンズホルダ２に所定の角度で確実に着脱できる照明装置受け７，照明装置ガイド板６，照明装置取付板５等より構成される照明装置取付機構部を含んでいる。また、スマートフォン１を取り付け安定した撮影をするために把持する把持本体部１０を備えている。
【００１３】
把持本体部１０は、腕部２０と腕部２１の間を付勢力に逆らって開き、スマートフォン１の両側面２２，２３を挟み込んで取り付けるスマートフォン取付部１０ｂ，スマートフォン取付部１０ｂと一体に構成され、内部に電池（単３電池，単４電池やボタン電池など）およびＬＥＤの印加電圧に電圧変換するＤＣ−ＤＣコンバータ等の回路を搭載した基板を収容した電池ボックス１０ｆより構成されている。電池ボックス１０ｆには電池を取り替えるための電池室蓋１０ｃが設けられ、電池ボックス１０ｆの前面側にＬＥＤの照明をオンオフする電源スイッチ１０ｄが設けられている（図２参照）。電池ボックス１０ｆは撮影時にスマートフォンを構えるときの把持部となる。
電池ボックス１０ｆの側面にはジャック端子１０ｅが設けられ、ＬＥＤに電力を供給するための電源ケーブル２９の端部に装備された結合手段が嵌合できるようになっている。結合手段は装脱着可能であり、プラグ端子２９ａなどにより構成されている。
【００１４】
レンズホルダ２はスマートフォン取付機構２ａ，レンズ取付マウント２ｂおよび発光部（ＬＥＤ照明装置）取付部２ｃより構成されている（図６参照）。スマートフォン取付機構２ａは挟む方向に付勢された鋏２４と２５でスマートフォン１を挟み付けることによりレンズホルダ２を容易に動かないように保持する。レンズ取付マウント２ｂによってコンバージョンレンズ３が取り付けられている。レンズホルダ２上のコンバージョンレンズ３が取り付けられる位置は、スマートフォン１の上部端部に設けられている撮影レンズの前面の位置である。スマートフォン１の撮影レンズが設けられる位置は機種によって様々であるが、通常はスマートフォン１の上端側に設けられており、その位置が上下左右方向に異なっていても対応できるようにスマートフォン取付機構２ａによる挟む位置を上下左右に調整することができる。コンバージョンレンズ３を装着したときの焦点距離は、この実施例の場合は５０ｍｍになるように設定されている。眼科における前眼または眼底を撮影するのには適した距離となる。
【００１５】
レンズホルダ２の下部付近には照明装置取付板５をスライド装脱着するための発光部取付部２ｃが設けられている。この発光部取付部２ｃに照明装置取付板５を、両端部がＵ字状に折れ曲がった形状の照明装置取付板５の開口部２６（図６参照）から差し込んで押し込むことによりＬＥＤ照明装置４の光軸がコンバージョンレンズ３の光軸に対し所定の角度、この実施の形態では３０°になるように固定されて装着できる（図３参照）。このような角度でＬＥＤ照明装置４の照明が集束する位置（照明範囲の境界が明確なる位置）を撮影レンズの焦点位置５０ｍｍの位置で交差するように設定でき、その交差部分がＬＥＤ照明装置４の照明で明瞭になるようになっている。
【００１６】
照明装置取付機構部は、照明距離セット調整ねじ９を設けた円筒形状のガイド枠Ｍに照明装置受け７が一体に取り付けられ、さらにＬ字形状の照明装置ガイド板６に角度調整ねじ（水平方向の角度）１２で連結され、照明装置ガイド板６のＬ字形状の端部２７が角度調整ねじ（垂直方向の角度）８によって照明装置取付板５に取り付けられる構造となっている。ＬＥＤ照明装置４を上記円筒形状のガイド枠Ｍに挿通して照明距離セット調整ねじ９を締めつけることによりＬＥＤ照明装置４を取り付けることができる。ＬＥＤ照明装置４の照明位置を調整するには、照明距離セット調整ねじ９を緩め、ＬＥＤ照明装置４の鏡筒を前後に動かし照明距離セット調整ねじ９で締めつけることにより前述したように適切な位置（例えば５０ｍｍの位置）で光が集束するように設定することができる。また、上下方向の照明角度は角度調整ねじ８によって行うことができる。
【００１７】
ＬＥＤ照明装置４は白色照明装置，青色照明装置，スリット光照明装置または白色・青色切替式照明装置などを用いるものである。
白色照明装置は白色光を放射するＬＥＤを使用したものである。青色照明装置は特定の被写体が前眼部または眼底である場合に、発光特性の中心波長が例えば４６０ｎｍ〜５００ｎｍの単色を送出する特性を有するＬＥＤを用いたものである。スリット光照明装置は照射範囲がスリットになる光を照射するように構成したものである。白色・青色切替式照明装置は照射光が白色になるか、上記特性の青色になるかを切り替えることができる構造を備えている。
【００１８】
図７は、本発明による近接撮影装置に用いるＬＥＤ照明装置の第１の実施の形態を示す図で、スリット光照明装置を断面で示した正面図である。
このスリット光照明装置は眼科における前眼部および眼底部の診断，撮影などに適したＬＥＤ光源を備えたものである。
円筒形状のガイド枠Ｍ，ガイド枠Ｍに固定される照明装置受け７，およびガイド枠Ｍにねじ止めされている、手動で操作可能な調整ねじ９は、図１で示したＬＥＤ照明装置４を保持するための部品と同じである。スリット光用外筒Ｆ2 をガイド枠Ｍに挿通して適切な位置で調整ねじ９を締めつければ、スリット光照明装置の位置を前後に調整可能である。
【００１９】
照明装置の筐体となるスリット光用外筒Ｆ2 の照明光を射出する開口１４にスリット光用レンズＤ2 が組み込まれ、一方面にスリット１１を有するスリット筒Ｇ2 がスリット光用外筒Ｆ2 に挿入されスリット光用レンズＤ2 に押し当てられスリット光用レンズＤ2 が固定される。スリット光用レンズＤ2 の中央にスリット１１の形状と同じ形状の光を遮る帯１５が設けられている。スリット１１の形成方向と同じ方向に帯１５は形成されている。このようにスリット光用レンズＤ2 に帯１５を設けることにより、適切な撮影距離に鮮明なスリット光を結ぶことができる。スリット筒Ｇ2 の背後は押え環Ｌで固定され、さらにＬＥＤ筒Ｈの先端部に設けられている雄ねじ１６はスリット光用外筒Ｆ2 の後部に設けられている雌ねじ１７に螺合することによりＬＥＤ筒Ｈは固定される。
【００２０】
ＬＥＤ筒ＨにＬＥＤＡから射出される各方向の光線を外部に逃がさないためのロッドＣが設けられ、さらにその背後にＬＥＤ基板Ｂに搭載されたＬＥＤＡが配置されている。ロッドＣの背後にＬＥＤ受け１３を押し当て、ＬＥＤ受け１３に有する孔１３ａにＬＥＤＡを挿入することによりＬＥＤＡをセットすることができる。
ＬＥＤ基板Ｂの端部をＬＥＤ押えＪで押し当て、ＬＥＤ押えＪの突起１８を連結枠Ｉで押さえ込み、連結枠Ｉの内周面に設けられている雌ねじ２７をＬＥＤ筒Ｈの外周面に設けられている雄ねじ２８に螺合させることにより、ＬＥＤＡはＬＥＤ筒Ｈ内に固定される。なお、ＬＥＤ押えＪにはケーブルを保持するためのセットビスＫが設けられている。
このようにスリット光照明装置を構成することにより、目的距離位置に鮮明なスリット光を結合することができる。
【００２１】
図８は本発明による近接撮影装置に用いるＬＥＤ照明装置の第２の実施の形態を示す図で、拡散光照明装置を断面で示した正面図である。
この拡散光照明装置は、眼科における前眼を撮影するのに適したＬＥＤ照明装置である。
拡散光照明装置の構造は図７で示したスリット光照明装置とほぼ同様であり、図７と同じ形状および機能を果たす部分には同じ符号を用いている。異なる部分は、図７ではスリット１１を有するスリット筒Ｇ2 を用いているが、これに対応するものとしてスリットを有さないレンズ押え筒Ｇ1 を用いている。また、ロッドＣの前面には拡散板Ｅが配置されている。さらにレンズＤ1 にはスリットと同形状の黒い帯は設けられていない。
【００２２】
なお、レンズＤ1 の背後に青色波長帯域を通過させ、他の波長帯域をカットする特性のフィルタを挿入すれば、青色の拡散照明光を射出させることができる。
また、このフィルタを光路内に挿入したり、外したりする切替機構を設ければ、白色光照明装置と青色照明装置の切り替えも可能である。
【００２３】
以上の実施の形態では、ＬＥＤ照明装置の電源を把持本体部１０に設けた外部電源方式の例を説明したが、内部電源方式に構成することもできる。ＬＥＤ照明装置の内部に回路基板とボタン電池を内蔵させることにより、電池ボックス１０ｆ内に乾電池（単３，単４乾電池など）および回路基板は不要となり把持本体部１０とＬＥＤ照明装置４の間の電源ケーブルも設ける必要がなくなり、近接撮影装置の構成がより簡易となる。
【産業上の利用可能性】
【００２４】
眼科医療診断分野の検査装置，精密部品やウエハ表面の検査の分野の検査装置として利用できる。
【符号の説明】
【００２５】
１  スマートフォン
２  レンズホルダ
３  近接撮影レンズ用コンバージョンレンズ（近接撮影用補助レンズ）
４  ＬＥＤ照明装置
５  照明装置取付板
６  照明装置ガイド板
７  照明装置受け
８，１２  角度調整ねじ
９  照明距離セット調整ねじ
１０  把持本体部
１０ｂ  スマートフォン取付部
１０ｃ  電池室蓋
１０ｄ  電源スイッチ
１０ｅ  ジャック端子
１０ｆ  電池ボックス（電池および電子回路基板収容部）
１１  スリット
１３  ＬＥＤ受け
１４  開口
１５  帯
１６，２８  雄ねじ
１７，２７  雌ねじ
１８  突起
２０，２１  腕部
２４，２５  鋏
２６  開口部
２９  電源ケーブル
Ａ  ＬＥＤ
Ｂ  ＬＥＤ基板
Ｃ  ロッド
Ｄ1 レンズ
Ｄ2 スリット光用レンズ
Ｅ  拡散板
Ｆ1 外筒
Ｆ2 スリット光用外筒
Ｇ1 レンズ押え筒
Ｇ2 スリット光用スリット筒
Ｈ  ＬＥＤ筒
Ｉ  連結枠
Ｊ  ＬＥＤ押え
Ｋ  セットビス
Ｌ  押え環
Ｍ  ガイド枠
【図１】
0006519878.tif 000002
【図２】
0006519878.tif 000003
【図３】
0006519878.tif 000004
【図４】
0006519878.tif 000005
【図５】
0006519878.tif 000006
【図６】
0006519878.tif 000007
【図７】
0006519878.tif 000008
【図８】
0006519878.tif 000009